(57)【特許請求の範囲】
【請求項１】
互いに平行に対応する一方の側端面に雄さねを、他方の側端面に雌さねをそれぞれ形成して有する本さね継手加工構造パネルであって、前記雄さねは、基部に平行な基部上面部と基部下面部を形成して備え、先端面部へ所要の長さ、先端上側傾斜面部と先端下側傾斜面部よりなる先端上下傾斜部を形成して備え、前記雌さねは、その溝口の上下幅を前記雄さねの基部の基部上面部と基部下面部との厚み幅より僅かに大きく、互いに平行な対面に上内壁面部と下内壁面部を形成して備え、前記雄さねの先端面部と対面する内底面部は、雄さねの先端面部の突出長より僅かに深く、かつその上下幅を雄さねの先端面部と同幅または僅かに大きく形成し、内底面部の上縁より前記上内壁面部に接続する上内壁傾斜面部と内底面部の下縁より前記下内壁面部に接続する下内壁傾斜面部よりなる上下内壁傾斜部を形成し、前記上内壁面部の一部分と上内壁傾斜面部及び下内壁面部の一部分と下内壁傾斜面部を、夫々の接続点を頂点とし、前記雄さねの先端上下傾斜部の先端上側傾斜面部と先端下側傾斜面部を底面とし、側面の形状が三角形の空隙を存して対面するように備えてなる本さね継手加工構造パネル。
【発明の詳細な説明】
【０００１】
【発明が属する技術分野】
この発明は、建物に用いられる本さね継手加工構造パネルに関するものである。
【０００２】
【従来の技術】
従来、施工の容易を目的として、特開平２−２４４５０号公報により開示されたさね継構造パネル、特開平６−１１７０８１号公報により開示された突起および溝を具備するパネル等が提案されている。
【０００３】
【発明が解決しようとする課題】
前記従来の提案の特徴とするところは、雄さねの先端両側面を傾斜面とし、一方のパネルを傾斜状態で、その雄さねを他方のパネル雌さね溝口に差入れ易くし、また、雄さねの基端と雌さねの溝口とに隙間を構成して湿気によるパネルの伸縮に対応させた点にあった。
【０００４】
この発明は、前記従来の施工の容易性をそのまま受け継ぎ、建物の耐震性、耐久性から床構造、壁構造および屋根構造等の強度の増強を目的になされたものである。
【０００５】
【課題を解決するための手段】
互いに平行に対応する一方の側端面に雄さねを、他方の側端面に雌さねをそれぞれ形成して有する本さね継手加工構造パネルであって、前記雄さねは、基部に平行な基部上面部と基部下面部を形成して備え、先端面部へ所要の長さ、先端上側傾斜面部と先端下側傾斜面部よりなる先端上下傾斜部を形成して備え、前記雌さねは、その溝口の上下幅を前記雄さねの基部の基部上面部と基部下面部との厚み幅より僅かに大きく、互いに平行な対面に上内壁面部と下内壁面部を形成して備え、前記雄さねの先端面部と対面する内底面部は、雄さねの先端面部の突出長より僅かに深く、かつその上下幅を雄さねの先端面部と同幅または僅かに大きく形成し、内底面部の上縁より前記上内壁面部に接続する上内壁傾斜面部と内底面部の下縁より前記下内壁面部に接続する下内壁傾斜面部よりなる上下内壁傾斜部を形成し、前記上内壁面部の一部分と上内壁傾斜面部及び下内壁面部の一部分と下内壁傾斜面部を、夫々の接続点を頂点とし、前記雄さねの先端上下傾斜部の先端上側傾斜面部と先端下側傾斜面部を底面とし、側面の形状が三角形の空隙を存して対面するように備えてなる本さね継手加工構造パネルにある。
【０００６】
【発明の実施の形態】
以下、この発明の本さね継手加工構造パネルを発明の実施の形態を示す図面により説明すると、この発明の本さね継手加工構造パネルは、一般の積層合板に加えて、ストランドボード、パーティクルボード、ハードボード（硬質繊維板）、ＭＤＦ（中質繊維板）に利用できるものである。先ず、単板を積層接着してなる合板に実施する実施の形態の本さね継手加工構造パネル１を図１〜図４により説明すると、互いに平行に対応する一方の側端面１ａに雄さね２を、他方の側端面１ｂに雌さね３をそれぞれ形成して有するものである。
【０００７】
前記雄さね２は、本さね継手加工構造パネル１の厚みに対して少なくとも１／３を基準とする所要の厚みで、合板の一方の側端面１ａに接続する基部２ａを、所要の長さ、互いに平行な基部上面部２ａ１と基部下面部２ａ２を形成して備え、それから先端面部２ｃへの全体突出長を本さね継手加工構造パネル１の厚みの２／３を越えない長さで、かつ雄さねの先端上下傾斜部２ｂの実施の形態として、先端上側傾斜面部２ｂ１と先端下側傾斜面部２ｂ２を上下に対称に形成して備えるものである。
【０００８】
前記雌さね３は、その溝口３ａの上下幅を前記雄さね２の基部２ａの基部上面部２ａ１と基部下面部２ａ２との厚み幅より僅かに大きい間隔で、互いに平行な対面に上内壁面部３ｂ１と下内壁面部３ｂ２を形成し、前記雄さね２の先端面部２ｃと対面する内底面部３ｃは、雄さね２の先端面部２ｃの突出長より深く、かつ雄さね２の先端面部２ｃと僅かに離隔するように形成し、内底面部３ｃの上縁３ｃ１より上内壁面部３ｂ１に接続する上内壁傾斜面部３ｄ１と内底面部３ｃの下縁３ｃ２より下内壁面部３ｂ２に接続する下内壁傾斜面部３ｄ２とで上下内壁傾斜部３ｄを形成し、前記上内壁面部３ｂ１の一部分と上内壁傾斜面部３ｄ１及び下内壁面部３ｂ２の一部分と下内壁傾斜面部３ｄ２を、夫々の接続点を頂点とし、前記雄さね２の先端上下傾斜部２ｂの先端上側傾斜面部２ｂ１と先端下側傾斜面部２ｂ２を底面とし、側面の形状が三角形の空隙４、５を存して対面するように備えてなる。
【０００９】
この発明の実施の形態の本さね継手加工構造パネル１は、前述のように構成されるものであるから、図３に示すように、結合して施工することができるものである。そして、パネルの一方の側端面１ａである木口面と、他方の側端面１ｂである木口面が突合され、また、雄さね２における互いに平行な基部上面部２ａ１と、基部下面部２ａ２が雌さね３の上内壁面部３ｂ１と下内壁面部３ｂ２にそれぞれ接面しているので、それらの部分を通じて荷重と変位が伝達されて構造体の剛性を確保することができるものである。
【００１０】
また、前記パネルの一方の側端面１ａに雄さね２における互いに平行な基部上面部２ａ１と基部下面部２ａ２に続き、先端上側傾斜面部２ｂ１と先端下側傾斜面部２ｂ２が先端面部２ｃとの間において形成されているから、例えば、床下張りの施工において、水平に置かれたパネルの他方の側端面１ｂに対してパネルの一方の側端面１ａを対応させ、雌さね３に雄さね２の差し込みを、雄さね２側のパネルを支持面１１に接し、他側を持ち上げて全体を斜めに傾けた状態で行なうことができ、また、その差し込みを容易に行なうことができるものである。また、雄さね２には、基部２ａはパネル厚みに対して少なくとも１／３を基準とする所要の厚みで、先端面部２ｃまでの突出長がパネル厚の２／３を基準とする所要の長さで形成されているから上記施工時に必要とする強度と、施工後に必要とする接合強度を確保することができるものである。
【００１１】
さらに、雄さね２の先端上下傾斜部２ｂの先端上側傾斜面部２ｂ１と先端下側傾斜面部２ｂ２をそれぞれ底面とし、雌さね３の上内壁面部３ｂ１の一部分と上内壁傾斜面部３ｄ１及び下内壁面部３ｂ２の一部分と下内壁傾斜面部３ｄ２を、夫々の接続点を頂点とする側面の形状が三角形の空隙４、５に、雄さね２に塗布された接着剤を雄さね２の先端面部２ｃへ雌さね３との嵌め合いで押し出して収容塗布することができ、接着剤を雄さね２と雌さね３における相互の連接面に適正に塗布して接着施工を行える効果があるのである。
【００１２】
この発明の実施の形態の本さね継手加工構造パネル１の具体的寸法は、図４に示すとおりである。また、パネルの厚みについては、１２ｍｍに限定されるものではなく、１５ｍｍ、２１ｍｍ、２４ｍｍの規格寸法と、任意に設定される寸法にあてはめることができるものである。また、雄さね２と、雌さね３の寸法についても等倍、若しくは前記実施の形態を基準に増減して決めることができるものである。
【００１３】
【発明の効果】
この発明の本さね継手加工構造パネルは、以上のようになるから、パネルに受ける荷重、曲げ応力をさね部を通じて効果的に伝達し、構成する床面、壁面、屋根面等の強度の向上に寄与するものである。
【００１４】
また、雄さねの先端面部と雌さねの内底面部に押し出される余分の接着剤を、雌さねの上内壁面部の一部分と上内壁傾斜面部及び下内壁面部の一部分と下内壁傾斜面部を、夫々の接続点を頂点とし、雄さねの先端上下傾斜部の先端上側傾斜面部と先端下側傾斜面部を底面とする側面の形状が三角形の空隙に、また、雌さねの上下内壁傾斜部の上内壁傾斜面部と下内壁傾斜面部と、前記雄さねの先端上下傾斜部の先端上側傾斜面部と先端下側傾斜面部とにより構成される空隙に、それぞれ押し込んで収容塗布することができ、スムーズな嵌合施工と強固な両者の接着をすることができるものである。
【００１５】
また、雄さねの基部上面部を雌さねの上内壁面部に、雄さねの基部下面部を雌さねの下内壁面部にそれぞれ嵌入接触するからその間に介在する接着剤により強固に接着し、横断方向の応力に対しても優れた強度を発揮する壁面、屋根面が施工できるものである。
【００１６】
上記この発明の実施の形態の本さね継手加工構造パネルより施工された床面、壁面の剛性が高められることを実証するために、独立行政法人森林総合研究所において、実物大の試験体を用いて床面の集中荷重試験を行い、局部的荷重に対するたわみ量と破壊荷重を求めると共に、それぞれのさね加工部分において応力が伝達されているかの実証試験を行った結果、床の水平構造面の強度は十分に実証された。
【００１７】
上記この発明の実施の形態の本さね継手加工構造パネルは、単板を積層接着してなる合板についての実施例であったが、その特徴とする形状および構造は、ストランドボード、パーティクルボード、ハードボード（硬質繊維板）、ＭＤＦ（中質繊維板）に実施し、その技術的効果を奏するものである。
【００１８】
よって、この発明の本さね継手加工構造パネルは、以上のようになるから、従来の施工の容易性をそのまま受け継ぎ、また、使用建造物の床面、壁面および屋根面等の強度の飛躍的増強に多大の寄与をもたらすものである。
【図面の簡単な説明】
【図１】  この発明の実施の形態の本さね継手加工構造パネルの要部を対応して示す斜視図である。
【図２】  同じく、要部を対応して示す側面図である。
【図３】  同じく、要部を接合した状態を示す側面図である。
【図４】  この発明の実施の形態の本さね継手加工構造パネルの具体的寸法例を示す対応側面図である。
【符号の説明】
１  この発明の実施の形態の本さね継手加工構造パネル
１ａ  一方の側端面
１ｂ  他方の側端面
２  雄さね
２ａ  基部
２ａ１  基部上面部
２ａ２  基部下面部
２ｂ  先端上下傾斜部
２ｂ１  先端上側傾斜面部
２ｂ２  先端下側傾斜面部
２ｃ  先端面部
３  雌さね
３ａ  溝口
３ｂ１  上内壁面部
３ｂ２  下内壁面部
３ｃ  内底面部
３ｃ１  上縁
３ｃ２  下縁
３ｄ  上下内壁傾斜部
３ｄ１  上内壁傾斜面部
３ｄ２  下内壁傾斜面部
４  空隙
５  空隙
【図１】
0004016391.tif 000002
【図２】
0004016391.tif 000003
【図３】
0004016391.tif 000004
【図４】
0004016391.tif 000005